(57)【要約】【課題】感染性医療廃棄物を収容したペール缶、一般廃棄プラスチックなどの軟質ビニール袋や使用済みのオシメなど病院より廃棄される廃棄物を熱分解槽に供給する工程で同伴空気を遮断除去し滅菌させて熱分解槽に連続供給は可能か。【解決手段】前工程にて送り込み装置の抜気と後工程でペール缶と送り込み装置壁間の空気を移動させ電磁誘導過熱蒸気を高温ガス中に於いてペール缶を穿孔滅菌とペール缶の破壊の後熱分解槽に供給を可能にした。【選択図】図１
2013252410.tif 000002
【特許請求の範囲】
【請求項１】
医療廃棄物を収容したペール缶を熱分解槽の上部に送給する箱シリンダー２基をＴ字状に組み合わせ１基に供給口他の１基の出口を小断面に絞り、排ガス筒内に突っ込み箱シリンダー内のピストンによる空気の移動と大気に排出とペール缶供給口と受入口を送給時にピストン又は密閉板で閉止させ電磁誘導過熱蒸気でペール缶内に穿孔と溶断による滅菌と破壊と押し落とし機構の請求項１のペール缶滅菌送給装置。
【請求項２】
前記請求項１のペール缶送給装置の箱シリンダー上部両側に案内溝と案内溝に平板を差し込み、その平板よりシリンダー断面を塞いだピストンとその平板を密閉板とし、ピストンの側板に設けた遮断板で２基のピストン開口部を主層に密閉する請求項２のペール缶滅菌送給装置。
【請求項３】
前記請求項１と２のペール缶送給滅菌装置、箱状ピストン終端を角錐状に絞り、熱分解留分ガスで包み、電磁誘導過熱蒸気噴出口を設け、角錐先端と対面位置まで降下するシリンダーピストンと対面位置に前後可動の回転円盤刃物で構成した請求項１と２と３のペール缶滅菌送給装置。
【発明の詳細な説明】
【技術分野】
【０００１】本発明は感染性医療廃棄物を収容したペール缶を熱分解機に供給過程で脱酸素と大気中の空気の侵入及びペール缶と同伴空気の除去と滅菌と共に熱分解槽に処理物を供給する。
【背景技術】
【０００２】感染性医療廃棄物は、廃棄物処理法に基づく感染性廃棄物処理マニュアルに定められた処理により、病院などで患者に使用した医療処理物を定められた容器（本件に置いてはペール缶）に収容される。この容器は硬質樹脂製の１０ｋｇと１５ｋｇ収容可能なものとダンボール箱を２重構造にして、更に内部に厚手の軟質ビニール袋に収容させるタイプがあり、これらは収集業者が集め焼却処分または、容器を遠心破砕機で破砕後にオートクレーブに入れ飽和蒸気を挿入し滅菌されている。【０００３】この処理方法に於いて問題は生じないか、折角厳重にペール缶に入れたが容器が強固な為内部の感染性医療廃棄物を容器より取り出す、又は前記のように容器を破壊する必要があり滅菌前に感染物を人の手で直接処分しなければならない重大な問題があった。【０００４】また、もう一つの問題は、前記ペール缶に収容された内容物の中に患者に処理した器具に金属製の物、ガラス製、大小の形状の器具の中に塩化物で作られ透析に使用されたホースや消毒液、薬液の残液などが混入していて、熱分解槽などに供給される時や残渣物排出時に出入口を閉鎖するなどが起きていた。【０００５】このような不特形状の混入したペール缶を滅菌前に破壊し破壊ののちに、滅菌すると破壊時に作業員は感染の恐れがあった。
ペール缶を破壊しないと滅菌できない問題とペール缶の大きさが一定ではなく、また軟質ビニール袋に収容したものもあって自動供給に困難な問題があった。【０００６】ペール缶寸法の不揃いにより供給の際、空間が起きその空間に残留空気による空気の混入により熱分解ガスに反応し爆発や火災の発生する問題がある。
危険防止の方法としてバッチ操業はペール缶を熱分解槽に加熱以前に供給したのち加熱させる方法は、処理物に付着している水分が先にガス化し、空気を槽外に持ち出し爆発を防止する効果があるが、次回続けてバッチ操業する事が出来ない欠点があった。【０００７】この熱分解に要した時間は、１〜２時間必要としたが油化後、熱分解槽が冷却して残渣物を取り出せる温度まで降下させるに必要な時間は５時間以上となり効率の悪い問題がある。処理物を供給し熱分解後冷却時間を加算すると７時間で１バッチになり多量の熱分解は不可能である。【０００８】そうすると熱分解槽が加熱し高温状態に置いて処理物を供給と残渣物の排出を可能にする必要がある。
ビニール袋に収容した処理物もペール缶も共に連続供給と残渣物の排出を可能にするには、ビニール袋を供給途上破壊すると供給シリンダーとピストンの隙間に廃プラスチックの噛み込みが起き阻害する問題が起きた。滅菌前にペール缶を破壊すると感染予防の上からも不可能である。【０００９】また、ペール缶の外形寸法と前部供給シリンダーの断面積の相違により供給時に隙間があるためシール不良でペール缶と同伴空気を共に押し込まれると危険状態が発生する。
滅菌工程迄は、ペール缶は変形しても、潰れた状態を保ち空気のみ送給装置より分離させ、入気を防止し滅菌に至ってペール缶を破壊させる必要があった。【００１０】それは滅菌時、空気を追い出しできうれば無酸素状態に保ち、硬質樹脂製のペール缶を破壊し収容した医療廃棄物を加熱蒸気に晒し滅菌を達成、ペール缶を小片に破壊するとペール缶の単位質量を小さくすることで省エネも共に達成する。
【先行技術文献】
【特許文献】
【００１１】
【特許文献１】特願２０１１−２４５９５２  阿部良博
【特許文献２】特願２０１１−２４０６２８  阿部良博
【特許文献３】特願２０１１−２４０６４５  阿部良博
【非特許文献】
【００１２】
【非特許文献１】カタログ  （株）アルティス  東京都港区
【発明の概要】
【発明が解決しようとする課題】
【００１３】ペール缶の大きさの違ったものが各種あり、ペール缶送給装置の内壁とペール缶との隙間が発生しピストンによる前進時に壁面とペール缶との隙間の空気を除去するとペール缶を破壊しなくて滅菌槽まで送り込み滅菌槽で極力小破片にペール缶を砕き、ペール缶内の収容物を確実に滅菌する。
【課題を解決するための手段】
【００１４】本発明は、箱状のシリンダーにピストンを内蔵した供給装置を上下２基十字状に組合せ、上段にペール缶受入ホッパーを設けペール缶を圧縮送到時に発生する空気はポンプで吸引排除させたのち下段の供給装置にペール缶を落とし込む。
この工程では同伴空気の排気を趣旨としペール缶を潰し内部の感染性処理物を出さない方法が好ましい。【００１５】上段と下段の供給装置乗継により、押し落とされたペール缶をピストンによって前進させ滅菌室に送り込まれる。この下段送給装置の箱状シリンダー先端はテーパー状に絞って体積を縮小させて滅菌室に至るまでにペール缶内に処理物と共に閉じ込められた空気を抜き取る。このテーパー状に絞った送給装置の先端部は排ガス筒内に挿入し熱分解機よりの上昇する高温ガスによって包まれテーパー部は加温によって高温化させる。【００１６】テーパー形状によってペール缶は変形し送給壁面との空間空気を押しのけペール缶と同伴した空気を別ルートでピストン後方に流入する。この空気は汚染空気で大気には放出しない。テーパー部で圧縮変形したペール缶は過熱蒸気ノズルによって穿孔され溶断されてテーパー部より押し出される。このテーパー部先端部と正対位置にペール缶破砕爪とで挟まれ捻られて軟化したペール缶を破壊させる。
【発明の効果】
【００１７】上下２基の送給装置でペール缶送給時にどうしても起きる圧縮同伴空気の除去により爆発などの危険回避と加熱蒸気の低下を熱分解槽の上昇高温ガスを利用することで効果がある。
【図面の簡単な説明】
【００１８】
【図１】ペール缶供給滅菌装置を示した断面図である。
【図２】ペール缶供給滅菌装置を示した側面図である。
【図３】ペール缶供給滅菌装置を示した断面図である。
【発明を実施するための形態】
【００１９】感染廃棄物を収めたペール缶を滅菌室に送り込む以前まではペール缶を壊さずに上部送り込みシリンダー内の同伴空気を抜き、下部送り込みシリンダーのペール缶との同伴空気は押し出した自己のピストンの後方に空気を逃がしシリンダー外には排出せず滅菌室までは外部に汚染空気は出さない。
【００２０】滅菌室を常時高温ガスで加熱状態を作り出し電磁誘導過熱で飽和蒸気を６００℃に過熱させ、噴出口を滅菌室に挿入してテーパー部に押し込まれて変形するペール缶を穿孔し溶断させる。
更に押し出されるペール缶を破砕機で破壊して下部の熱分解槽に押し落とし装置に押し落とす。
【実施例１】
【００２１】図１は本発明のペール缶滅菌送給装置の実施方法の説明図で１．上部送り込みシリンダーで２．ペール缶受入ホッパー３．下部供給シリンダーをクロス状態に上下に連れて連通し供給したペール缶を１７．ピストンが前連すると圧縮空気は逃がし管により自己のピストン後方に流し逆支弁で大気に放出する。【００２２】更にピストンが前進するとピストンと一体化した閉止板によってゲート入り口は閉鎖する。
下部送給シリンダー連通口直上迄ペール缶を送ると連通口を下部シリンダーピストンで閉鎖していた連通口をピストン後退により開放してペール缶を落下させ下部供給シリンダー内に受け入れる。【００２３】上部供給シリンダーピストンは前進し終端で停止し連通していた乗継口を閉鎖する。閉鎖状態のまま下部供給シリンダーピストンは前進し、シリンダー内の空気には空気逃がし管を介してピストン後方に戻す。
更にピストンはペール缶を押しテーパー部に推し進めペール缶を変形し絞りながら加熱蒸気のノズルより噴出する高温で穿孔と溶断する。【００２４】下部供給シリンダー先端テーパー部は、熱分解槽蓄上部と連通していて熱分解作業中は高温ガスが絶えず上昇しテーパー部を高温ガスで包み込み排ガスダクトを介してそのダクトと連通している段塔で凝縮により液化させる。【００２５】テーパー部の先端絞り口より押し出されたペール缶はテーパー部と正対させた位置に破砕機を置き、その間に突き落としピストンが必要時に上下してペール缶の落下しない破片を押し落とす。
破砕機の動きは、水平斬断しながら先端のカッターを回転させペール缶が押し出されると打撃と切削作用でペール缶を解体する。【００２６】熱分解槽より上昇する高温ガスでテーパー部先端を加熱させることで誘導過熱蒸気の吹き出し温度の低下を防ぎペール缶を押し出し、圧縮変形軟弱化を助勢し、少量の空気の混入による危険も防止する。
【実施例２】
【００２７】ペール缶供給口を上部に設けた、供給シリンダー内にピストン装置の先端部開口をもう一基の供給シリンダーの横側面にＴ字状に接合し連通させる。ペール缶を供給する側のシリンダー頭部側を塞ぎ、供給される側はシリンダー側壁開口部をピストン側面で塞ぐ供給シリンダーの組み合わせで抜気とペール缶を送給する。【００２８】実施例２の特徴は、２基の送り込みシリンダーを平面に接続させたのでペール缶ホッパーを低くすることが出来る。直接人の手でペール缶を供給することが可能である。
ホッパー付きの送り込みシリンダーは圧縮による空気は大気に脱気させても良い。
乗り継がれた送給シリンダーは、圧縮在空したシリンダー前後の空気は、実施例１に示す通り前方と後方に圧縮された空気の移動がおこりペール缶の破損時による感染防止の理由で前部箱シリンダーの空気は大気中に放出しない。
【産業上の利用可能性】
【００２９】今迄医療産業廃棄物の再利用を不可能にしていた塩化物製の透析用のホースや透析機器の消毒液、点滴の残液のある袋、使用済みの金属器具、注射器、薬瓶、ガーゼ、包帯、オムツなど患者に使用された医療廃棄物を熱分解による油化と油化後の残渣物を再利用による代替エネルギーを作り出すことがこのペール缶送り込み装置によって可能となり、再生エネルギーの製造を達成した。
【符号の説明】
【００３０】１．上部供給シリンダー
２．ペール缶供給ホッパー
３．下部供給シリンダー
４．上部シリンダー空気抜き
５．下部シリンダー先端テーパー部
６．排ガス筒
７．破砕機
８．破砕カッター
９．突き落とし装置
１０．加熱蒸気ノズル
１１．排ガスダクト
１２．突き落としピストン
１３．圧縮空気逃がし管
１４．熱分解槽
１５．排ガス繋ぎ管
１６．ピストン
１７．閉止ゲート
１８．油圧シリンダー
１９．電動機
２０．前後動機槽
２１．上下連通口
【図１】
2013252410.tif 000003
【図２】
2013252410.tif 000004
【図３】
2013252410.tif 000005